(57)【要約】【課題】内容物の連続的な吐出を可能としつつ小型化が可能な吐出容器を提供する。【解決手段】ヘッド部材７０の上面７３に下方向への外力を加えると、ポンプ部３が全体的に下方へ変位し、ピストン部材５０の円板部５１が内壁部１２の内周面に沿って下方へ摺動する。また、これと同時に、圧縮部材６０の円環板部６１が内壁部１２の外周面及び外壁部１３の内周面に沿って下方へ摺動し、圧縮用空間１４内の空気が加圧され、その圧力が伝達されることにより押出部材４０が内壁部１２の内周面に沿って上方へ摺動する。これにより、収容空間１１に充填された毛髪化粧料が、誘導流路５４及び吐出流路７２を介してノズル７１から外部へ吐出する。【選択図】図２
2008308182.tif 000002
【特許請求の範囲】
【請求項１】
筒体と、
前記筒体の内面に沿って摺動可能に設けられた第１摺動体及び第２摺動体と、
外力が加えられることにより変位可能に設けられた操作体と、
前記操作体に加えられた外力を前記第１摺動体に伝達し、前記第１摺動体を前記第２摺動体へ近づく方向に摺動させる第１伝達手段と、
前記操作体に加えられた外力を前記第２摺動体に伝達し、前記第２摺動体を前記第１摺動体へ近づく方向に摺動させる第２伝達手段と、
前記筒体における前記第１摺動体及び前記第２摺動体に挟まれた内部空間と外部とを連通する連通路と、
を備えることを特徴とする吐出容器。
【請求項２】
前記第１伝達手段は、前記操作体と前記第１摺動体とを一体的に変位させるように構成されていること
を特徴とする請求項１に記載の吐出容器。
【請求項３】
前記第２伝達手段は、流体が密閉された密閉室を備え、前記密閉室は、前記操作体に外力が加えられることにより容積が小さくなり、前記第２摺動体が前記第１摺動体へ近づく方向に摺動することにより容積が大きくなるように構成されていること
を特徴とする請求項１又は請求項２に記載の吐出容器。
【請求項４】
前記密閉室には、前記流体として空気が密閉されていること
を特徴とする請求項３に記載の吐出容器。
【請求項５】
前記密閉室は、前記筒体の外周部に形成されていること
を特徴とする請求項３又は請求項４に記載の吐出容器。
【発明の詳細な説明】
【技術分野】
【０００１】
本発明は、内容物を外部へ吐出する吐出容器に関するものである。
【背景技術】
【０００２】
従来、この種の吐出容器としては、例えば特許文献１に記載のように、使用者が作動部を指で押し下げる操作を行うごとに一定量の内容物（染毛剤）が吐出されるポンプ式のものが知られている。このようなポンプ式の吐出容器において、作動部はバネにより上方へ付勢されており、使用者による押し下げ操作が解除されると元の位置へ復帰する。つまり、押し下げ操作の回数により内容物の吐出量を調整することになる。したがって、必要な量の内容物を吐出容器から吐出させるために押し下げ操作を何度も行わなければならず、操作が煩雑となる。また、吐出容器の構成部品としてバネが用いられているため、バネの腐食や劣化といった問題も生じる。
【０００３】
一方、例えば特許文献２には、１回の押し操作で内容物を連続的に吐出させることが可能な押し出し式の吐出容器が開示されている。このような押し出し式の吐出容器では、バネが不要となるため、バネを用いた構成の問題点についても回避することができる。
【特許文献１】特開平１１−２５３２２５号公報
【特許文献２】特開２０００−３３３７２３号公報
【発明の開示】
【発明が解決しようとする課題】
【０００４】
しかしながら、前述した特許文献２に記載の吐出容器は、収容されている内容物を１回の押し出しストロークで出し切る構成のため、押し出しストロークを長く設計する必要があり、その結果として大型化してしまうという問題がある。
【０００５】
なお、内容物を連続的に吐出させることが可能な容器としてはエアゾール容器も知られているが、構造が複雑で高価である、浴室等のように高湿度での使用に不向きである、繰り返しの使用ができない、廃棄が面倒である等の問題がある。
【０００６】
本発明は、こうした問題にかんがみてなされたものであり、内容物の連続的な吐出を可能としつつ小型化が可能な吐出容器を提供することを目的としている。
【課題を解決するための手段】
【０００７】
上記目的を達成するためになされた本発明の請求項１に記載の吐出容器は、筒体と、筒体の内面に沿って摺動可能に設けられた第１摺動体及び第２摺動体と、外力が加えられることにより変位可能に設けられた操作体と、操作体に加えられた外力を第１摺動体に伝達し、第１摺動体を第２摺動体へ近づく方向に摺動させる第１伝達手段と、操作体に加えられた外力を第２摺動体に伝達し、第２摺動体を第１摺動体へ近づく方向に摺動させる第２伝達手段と、筒体における第１摺動体及び第２摺動体に挟まれた内部空間と外部とを連通する連通路とを備える。
【０００８】
このような構成の吐出容器では、操作体に外力を加えると、その外力が第１摺動体及び第２摺動体に伝達され、第１摺動体及び第２摺動体のそれぞれが互いに近づく方向に摺動する。この結果、筒体における第１摺動体及び第２摺動体に挟まれた内部空間の容積が小さくなり、内部空間に収容された内容物が連通路を介して外部へ吐出する。
【０００９】
したがって、この吐出容器によれば、内部空間に収容された内容物を連続的に吐出させることができる。この結果、好みの量を一度に吐出させることが可能となる。また、バネを用いる必要がないため、バネを用いた構成の問題点（バネの腐食や劣化の問題）も回避することができる。
【００１０】
特に、この吐出容器では、操作体の変位に対し、第１摺動体及び第２摺動体のそれぞれが互いに近づく方向に摺動するため、操作体の変位量を小さくして小型化を図ることができる。この結果、吐出容器の収納に必要な収納スペースを小さくすることができる。
【００１１】
また、請求項２に記載の吐出容器では、第１伝達手段は、操作体と第１摺動体とを一体的に変位させるように構成されている。このような構成の吐出容器によれば、操作体に加えられた外力を第１摺動体に伝達する構成を簡素化することができる。なお、操作体、第１伝達手段及び第１摺動体は、１つの部材から構成されていてもよく、その場合、必ずしも各部を区別できる形状である必要はない。例えば、１つの円柱部材により構成されていても、その円柱部材が、操作体、第１伝達手段及び第１摺動体として実質的に機能するものであればよい。
【００１２】
また、請求項３に記載の吐出容器では、第２伝達手段は、流体が密閉された密閉室を備え、密閉室は、操作体に外力が加えられることにより容積が小さくなり、第２摺動体が第１摺動体へ近づく方向に摺動することにより容積が大きくなるように構成されている。
【００１３】
この吐出容器では、操作体に外力を加えると、密閉室の容積が小さくなり、密閉室に密閉された流体が加圧される。その結果、密閉室の容積を大きくしようとする力が生じ、第２摺動体が第１摺動体へ近づく方向に摺動する。つまり、操作体に加えられた外力が、密閉室に密閉された流体を介して第２摺動体に伝達される。
【００１４】
このような構成の吐出容器によれば、操作体とは異なる変位方向や変位量で第２摺動体を摺動させる構成を容易に実現することができる。
ここで、流体としては、例えば請求項４に記載のように空気が挙げられる。空気であれば、液体に比べ、吐出容器を軽量化することができるとともに、液漏れや腐食といった問題を生じにくくすることができる。
【００１５】
また、請求項５に記載の吐出容器では、密閉室は、筒体の外周部に形成されている。このような構成の吐出容器によれば、効率的な配置によりコンパクトに構成することが可能となる。
【発明を実施するための最良の形態】
【００１６】
以下、本発明が適用された実施形態について、図面を用いて説明する。
［１．全体構成］
図１は、実施形態の吐出容器１の側断面図である。
【００１７】
この吐出容器１は、毛髪化粧料（例えばトリートメント）を収容・吐出するためのものであり、毛髪化粧料が収容される本体部２と、本体部２の上部において下方向に変位可能に設けられたポンプ部３とに大別される。なお、この吐出容器１を構成するすべての部材は、樹脂製のものである。
【００１８】
本体部２は、二重筒構造の収容部材１０と、収容部材１０の底面を閉塞する底部材２０と、収容部材１０の上面における外縁部を閉塞する蓋部材３０と、収容部材１０の内部に設けられた押出部材４０とから構成されている。
【００１９】
収容部材１０は、毛髪化粧料が収容される収容空間１１の側壁を形成する円筒状の内壁部１２と、この内壁部１２の外側に同軸に形成された円筒状の外壁部１３とを有しており、内壁部１２と外壁部１３との間には空気を圧縮するための圧縮用空間１４が形成されている。また、内壁部１２の下端は、外壁部１３の下端よりもやや高い位置に形成され、円環板状の連結部１５を介して外壁部１３の内周面に連結されており、連結部１５には、上下方向に貫通する複数（例えば４つ）の貫通穴１６が形成されている。なお、内壁部１２の上端部は、外壁部１３の上端部と同じ高さに形成されている。
【００２０】
底部材２０は、収容部材１０が上面に載置された状態で外壁部１３の下端に固定されており、収容部材１０の底部を気密に閉塞する。なお、底部材２０の上面と内壁部１２の下端面（連結部１５の下面）とは離間している。
【００２１】
蓋部材３０は、圧縮用空間１４の上方を覆うように外壁部１３の上端に固定されている。なお、蓋部材３０は、収容部材１０の上部を気密に閉塞するものではなく、空気の出入りが可能となっている。
【００２２】
押出部材４０は、円筒形状の側壁部４１と、側壁部４１の上端を閉塞する円板形状の天井壁部４２とを有する部材であり、収容部材１０における内壁部１２の内周面に沿って液密かつ気密に摺動可能に設けられている。ここで、押出部材４０の上下方向の寸法は、底部材２０の上面と内壁部１２の下端面との間の距離よりも長く設計されており、押出部材４０が最下部（底部材２０の上面に載置された状態）に位置している状態（図１の状態）においても、側壁部４１の外周面における上部が内壁部１２の内周面に接触する。
【００２３】
また、押出部材４０の側壁部４１には、複数（本実施形態では４つ）の切欠部４３が円周方向に等間隔（本実施形態では９０度間隔）で形成されており、押出部材４０が最下部に位置している状態においても側壁部４１の内側と圧縮用空間１４とが連通している。
【００２４】
一方、ポンプ部３は、収容部材１０における内壁部１２の内周面に沿って摺動可能に設けられたピストン部材５０と、ピストン部材５０の外周面における上部に固定され、内壁部１２の外周面及び外壁部１３の内周面に沿って摺動可能に設けられた圧縮部材６０と、ピストン部材５０の上端部に固定されたヘッド部材７０とから構成されている。
【００２５】
ピストン部材５０は、内壁部１２の内周面に沿って液密に摺動可能な円板部５１を有している。また、円板部５１の中心には貫通穴５２が形成されており、この貫通穴５２を上方へ延長する円筒部５３により、収容空間１１内に充填された毛髪化粧料をヘッド部材７０へ導く誘導流路５４が形成されている。
【００２６】
圧縮部材６０は、内壁部１２の外周面及び外壁部１３の内周面に沿って気密に摺動可能な円環板部６１を有している。ここで、圧縮用空間１４の底面を形成する連結部１５には貫通穴１６が形成されているが、収容部材１０の底部が底部材２０により気密に閉塞されており、また、本体部２における内壁部１２の内周面に沿って液密かつ気密に摺動可能に押出部材４０が設けられている。このため、圧縮用空間１４内の空気は密閉された状態となっており、円環板部６１が下方へ移動すると、密閉された空気が加圧されることにより、押出部材４０を上方へ移動させる力が働くことになる。
【００２７】
また、圧縮部材６０は、円環板部６１の内周縁を上方へ延長する円筒部６２と、円筒部６２の上端をピストン部材５０に接続する接続部６３とを有しており、円環板部６１は円板部５１と一体的に変位する。
【００２８】
ヘッド部材７０は、使用者により下方向への外力が加えられる部材（押し操作が行われる部材）であり、ピストン部材５０の円筒部５３上端に固定されている。そして、ヘッド部は、毛髪化粧料を吐出するノズル７１を有し、内部には、ピストン部材５０の誘導流路５４と外部とを連通する吐出流路７２が形成されている。
【００２９】
［２．使用方法］
次に、吐出容器１の使用方法について説明する。
吐出容器１の使用者が、ヘッド部材７０の上面７３に下方向への外力を加えると（図２（ａ））、ポンプ部３が全体的に下方へ変位し、ピストン部材５０の円板部５１が内壁部１２の内周面に沿って下方へ摺動する。また、これと同時に、圧縮部材６０の円環板部６１が内壁部１２の外周面及び外壁部１３の内周面に沿って下方へ摺動し、圧縮用空間１４内の空気が加圧され、その圧力が伝達されることにより（図２（ａ）の点線矢印参照）、押出部材４０が内壁部１２の内周面に沿って上方へ摺動する。
【００３０】
つまり、ヘッド部材７０を押し下げる操作に連動して、円板部５１及び押出部材４０のそれぞれが互いに近づく方向へ摺動し、収容空間１１の容積が小さくなる。これにより、収容空間１１に充填された毛髪化粧料が、誘導流路５４及び吐出流路７２を介してノズル７１から外部へ吐出する（図２（ａ）の破線矢印参照）。
【００３１】
このような構成により、ヘッド部材７０を押し続けることで毛髪化粧料が連続的に吐出されることになり、押すことを止めると毛髪化粧料の吐出も止まり、ヘッド部材７０の位置（本体部２に対するポンプ部３の位置）はそのまま維持される（図２（ｂ））。
【００３２】
そして、円板部５１及び押出部材４０が互いに接触する位置までヘッド部材７０を押し下げることで、収容空間１１の容積が０になり、毛髪化粧料をほぼ全量吐出させることができる（図２（ｃ））。
【００３３】
［３．効果］
以上説明したように、本実施形態の吐出容器１によれば、次の効果が得られる。
・ヘッド部材７０の押し下げストロークに応じた量の毛髪化粧料を連続的に吐出させることができる。このため、好みの量を一度に吐出させることができる。また、ノンガスタイプのため、環境に優しく、しかも、バネを用いていないため、バネを用いた構成の問題点（バネの腐食や劣化の問題）も回避することができる。加えて、樹脂のみで構成されているため、廃棄時の分別も不要となる。
【００３４】
・収容空間１１の天井面を形成する円板部５１がヘッド部材７０と一体的に下方向に摺動するだけでなく、収容空間１１の底面を形成する押出部材４０が上方向に摺動するため、ヘッド部材７０の押し下げストロークを小さくすることができる。この結果、小型化を図ることができ、必要な収納スペースを小さくすることができる。
【００３５】
・ヘッド部材７０に加えられた外力が、圧縮用空間１４に密閉された空気を介して押出部材４０に伝達されるようにしているため、ヘッド部材７０の変位方向と逆方向に摺動させる構成を簡素化することができる。特に、空気を用いているため、液体を用いるのに比べ、吐出容器１を軽量化することができるとともに、液漏れや腐食といった問題も生じにくくすることができる。
【００３６】
・圧縮用空間１４を収容空間１１の外周部に形成することでコンパクトな構成とすることができる。
・収容空間１１に空気が流入しない構成のため、空気がみを生じないようにすることができる。
【００３７】
［４．特許請求の範囲との対応］
なお、本実施形態の吐出容器１では、内壁部１２が、本発明の筒体に相当し、ヘッド部材７０が、本発明の操作体に相当し、ピストン部材５０の誘導流路５４と、ヘッド部材７０の吐出流路７２とが、本発明の連通路に相当する。
【００３８】
また、ピストン部材５０の円板部５１が、本発明の第１摺動体に相当し、ピストン部材５０の円筒部５３が、本発明の第１伝達手段に相当する。
さらに、押出部材４０が、本発明の第２摺動体に相当し、圧縮用空間１４を形成する収容部材１０及び底部材２０と、圧縮部材６０とが、本発明の第２伝達手段に相当し、特に、圧縮用空間１４が、本発明の密閉室に相当する。
【００３９】
［５．他の形態］
以上、本発明の一実施形態について説明したが、本発明は、種々の形態を採り得ることは言うまでもない。
【００４０】
・上記実施形態の吐出容器１では、ヘッド部材７０に加えられた外力が、圧縮用空間１４に密閉された空気を介して押出部材４０に伝達されるように構成されているが、これに限定されるものではない。例えば、空気以外の気体や、液体を密閉するようにしてもよい。また、ギア等を用いて外力を機械的に伝達する構成とすることも可能である。
【００４１】
・上記実施形態の吐出容器１では、使用者による押し操作が行われるヘッド部材７０と、収容空間１１の天井面を形成する円板部５１とが、一体的に変位するように構成されているが、これに限定されるものではない。例えば、ヘッド部材７０に加えられた外力を何らかの伝達手段を介して円板部５１に伝達するように構成してもよい。このようにすれば、ヘッド部材７０とは異なる変位方向や変位量で円板部５１を摺動させることが可能となる。なお、伝達手段としては、例えば上記実施形態のように密閉した空気を利用することができる。
【００４２】
・上記実施形態では、毛髪化粧料を収容・吐出する吐出容器１を例に挙げて説明したが、これに限定されるものではなく、本発明は、毛髪化粧料以外の流体を収容・吐出する吐出容器にも適用することができる。
【図面の簡単な説明】
【００４３】
【図１】実施形態の吐出容器の側断面図である。
【図２】吐出容器の使用状態を説明する説明図である。
【符号の説明】
【００４４】
１…吐出容器、２…本体部、３…ポンプ部、１０…収容部材、１１…収容空間、１２…内壁部、１３…外壁部、１４…圧縮用空間、１５…連結部、１６…貫通穴、２０…底部材、３０…蓋部材、４０…押出部材、４１…側壁部、４２…天井壁部、４３…切欠部、５０…ピストン部材、５１…円板部、５２…貫通穴、５３…円筒部、５４…誘導流路、６０…圧縮部材、６１…円環板部、６２…円筒部、６３…接続部、７０…ヘッド部材、７１…ノズル、７２…吐出流路、７３…ヘッド部材の上面
【図１】
2008308182.tif 000003
【図２】
2008308182.tif 000004